(57)【要約】【課題】画像形成装置でジャムが発生した場合、装置内部に蓄積されたオゾンが排気ファンとオゾンフィルタにより充分除去されていない状況で、ユーザーがジャム処理のために装置のドアを開けると、ユーザーがジャム処理中にオゾンの匂いにより不快を感じてしまうことを防止する。【解決手段】画像形成装置でジャムが発生した場合に、ジャム検知後に画像形成装置内のオゾン濃度をユーザーがオゾンの匂いで不快を感じないレベルまで低下させるのに必要な排気ファン７１５の回転時間を決定し、その間はユーザーが装置内のジャム処理作業を行わないように促す。また、ジャムが発生した場合に排気ファン７１５の排気能力をアップさせる。【選択図】図２
2008185920.tif 000002
【特許請求の範囲】
【請求項１】
感光体を帯電する帯電器を備えた画像形成装置において、
前記帯電器より発生し、前記画像形成装置内に放出されたオゾンの濃度を検知するオゾン濃度検知手段と、
前記帯電器からオゾンを除去するための除去部材と、
前記画像形成装置内のオゾンを前記除去部材へ向けて送風するためのファンと、
前記画像形成装置内に記録紙のジャムを検知するジャム検知手段と、
前記ジャム検知手段によりジャムが検知された場合に、前記画像形成装置内部のオゾンの濃度が所定値以下になるまで前記画像形成装置内部のジャム処理作業を実施しないようにユーザーに促す、或いは実施できないよう制御する制御手段と、
を有することを特徴とする画像形成装置。
【請求項２】
感光体を帯電する帯電器を備えた画像形成装置において、
前記帯電器からオゾンを除去するための除去部材と、
前記画像形成装置内のオゾンを前記除去部材へ向けて送風するためのファンと、
前記画像形成装置内に記録紙のジャムを検知するジャム検知手段と、
前記ジャム検知手段によりジャムが検知された場合に、前記画像形成装置内部のオゾンが前記ファンにより前記除去部材へ送風されるのに要する時間が経過するまで前記画像形成装置内部のジャム処理作業を実施しないようにユーザーに促す、或いは実施できないよう制御する制御手段と、
を有することを特徴とする画像形成装置。
【請求項３】
前記制御手段は、前記ジャム検知手段によりジャムが検知された場合に、前記ファンの回転速度を、ジャムが検知される前よりも増大させることを特徴とする請求項１又は請求項２に記載の画像形成装置。
【請求項４】
装置内部の環境を検知する環境検知手段を有し、
前記制御手段は、前記環境検知手段の検知結果と前記帯電器に供給される高圧出力値を制御するための高圧出力制御データとから装置内部のオゾンの濃度を算出することを特徴とする請求項１記載の画像形成装置。
【請求項５】
表示手段を有し、前記制御手段は、前記ジャム検知手段によりジャムが検知された場合に、装置内部のオゾンの濃度が所定値以下になるまで装置内部のジャム処理作業を実施しないことをユーザーに促す表示を前記表示手段に行うことを特徴とする請求項１又は請求項２に記載の画像形成装置。
【請求項６】
感光体を帯電する帯電器を備えた画像形成装置において、
前記帯電器からオゾンを除去するための除去部材と、
前記画像形成装置内のオゾンを前記除去部材へ向けて送風するためのファンと、
前記画像形成装置内に記録紙のジャムを検知するジャム検知手段と、
前記ジャム検知手段によりジャムが検知された場合に、前記ファンの回転速度を、ジャムが検知される前よりも増大させるよう制御する制御手段と、
を有することを特徴とする画像形成装置。
【発明の詳細な説明】
【技術分野】
【０００１】
本発明は、帯電器を有する画像形成装置に関する。
【背景技術】
【０００２】
従来の一般的な電子写真方式の画像形成装置は、帯電工程、露光工程、現像工程、転写工程、定着工程を行って記録紙に画像形成を行った後、その記録紙を機外に排出する構成を有している。
【０００３】
帯電工程において、画像形成装置は、高圧電源に接続された帯電器の帯電線に高圧電圧を印加してコロナ放電を行わせ、感光体の表面を一様に帯電させる。このコロナ放電が発生すると、前記帯電器から電荷、静電エネルギーが放射されると共に、放電時には、オゾンが発生する。
【０００４】
従来の画像形成装置は、装置内部のオゾンを除去するために排気経路中にオゾンフィルタを備えており、コロナ放電によって発生したオゾンは、排気ファンによりオゾンフィルタへ送風され、該オゾンフィルタで除去される（例えば、特許文献１参照）。
【特許文献１】特開平１１−３０５６１３号公報
【発明の開示】
【発明が解決しようとする課題】
【０００５】
しかしながら、前記従来の構成においては、画像形成装置で記録紙のジャムが発生した場合、装置内部に蓄積されたオゾンが排気ファンによりオゾンフィルタへ充分送風されてない状況や、排気ファンを停止させる制御を行っている状況があった。この場合、画像形成装置内部にオゾンが蓄積している状態で、ユーザーがジャム処理のために装置のドアを開ける等により、そのオゾンの匂いでユーザーに不快を与えてしまうという問題があった。
【０００６】
本発明は、以上の点に着目して成されたもので、ユーザーがジャム処理をするために前扉を開けたときに、装置内に蓄積されたオゾンの匂いにより不快になることを防止することが可能な画像形成装置を提供することを目的とする。
【課題を解決するための手段】
【０００７】
本発明は、上述の目的を達成するため、以下（１）〜（６）の構成を備えるものである。
【０００８】
（１）感光体を帯電する帯電器を備えた画像形成装置において、前記帯電器より発生し、前記画像形成装置内に放出されたオゾンの濃度を検知するオゾン濃度検知手段と、前記帯電器からオゾンを除去するための除去部材と、前記画像形成装置内のオゾンを前記除去部材へ向けて送風するためのファンと、前記画像形成装置内に記録紙のジャムを検知するジャム検知手段と、前記ジャム検知手段によりジャムが検知された場合に、前記画像形成装置内部のオゾンの濃度が所定値以下になるまで前記画像形成装置内部のジャム処理作業を実施しないようにユーザーに促す、或いは実施できないよう制御する制御手段と、を有することを特徴とする画像形成装置。
【０００９】
（２）感光体を帯電する帯電器を備えた画像形成装置において、前記帯電器からオゾンを除去するための除去部材と、前記画像形成装置内のオゾンを前記除去部材へ向けて送風するためのファンと、前記画像形成装置内に記録紙のジャムを検知するジャム検知手段と、前記ジャム検知手段によりジャムが検知された場合に、前記画像形成装置内部のオゾンが前記ファンにより前記除去部材へ送風されるのに要する時間が経過するまで前記画像形成装置内部のジャム処理作業を実施しないようにユーザーに促す、或いは実施できないよう制御する制御手段と、を有することを特徴とする画像形成装置。
【００１０】
（３）前記制御手段は、前記ジャム検知手段によりジャムが検知された場合に、前記ファンの回転速度を、ジャムが検知される前よりも増大させることを特徴とする前記（１）又は（２）に記載の画像形成装置。
【００１１】
（４）装置内部の環境を検知する環境検知手段を有し、前記制御手段は、前記環境検知手段の検知結果と前記帯電器に供給される高圧出力値を制御するための高圧出力制御データとから装置内部のオゾンの濃度を算出することを特徴とする前記（１）記載の画像形成装置。
【００１２】
（５）表示手段を有し、前記制御手段は、前記ジャム検知手段によりジャムが検知された場合に、装置内部のオゾンの濃度が所定値以下になるまで装置内部のジャム処理作業を実施しないことをユーザーに促す表示を前記表示手段に行うことを特徴とする前記（１）又は（２）に記載の画像形成装置。
【００１３】
（６）感光体を帯電する帯電器を備えた画像形成装置において、前記帯電器からオゾンを除去するための除去部材と、前記画像形成装置内のオゾンを前記除去部材へ向けて送風するためのファンと、前記画像形成装置内に記録紙のジャムを検知するジャム検知手段と、前記ジャム検知手段によりジャムが検知された場合に、前記ファンの回転速度を、ジャムが検知される前よりも増大させるよう制御する制御手段と、を有することを特徴とする画像形成装置。
【発明の効果】
【００１４】
本発明の画像形成装置は、ジャムが発生した場合は、画像形成装置内のオゾン濃度を、その匂いによる不快をユーザーに与えない所定値以下に低下させるまで、ユーザーに装置内のジャム処理作業を行わないように促す。その結果、本発明の画像形成装置によれば、ユーザーがジャム処理をするために装置の前扉を開けたときに、画像形成装置内に蓄積されたオゾンの匂いにより不快になることを防ぐことができる。
【発明を実施するための最良の形態】
【００１５】
以下、本発明を実施するための最良の形態を図面を用いて詳しく説明する。
【００１６】
［実施形態１］
以下、本実施形態の画像形成装置の構成を、図３に示した構成図を用いて説明する。
【００１７】
図３において、７０１は有機光導性物質を薄膜上に付着させた感光体である。感光体７０１の回転方向に沿って、該感光体を帯電させる帯電器７０２、該帯電器で帯電させた感光体にレーザを照射して静電潜像を形成する露光光学系７０３、感光体に形成された静電潜像の上にトナーを付着させる現像器７０４が設けられている。そして、現像器７０４で現像されたトナー像を記録紙７０５に転写する転写ローラ７０６、転写ローラ７０６による転写後、感光体７０１の表面に残留しているトナーを除去する除電器７０７が設けられている。なお。本実施形態では帯電器としてコロナ放電器を使用している。
【００１８】
７０８は記録紙７０５を収納するカセット、７０９はカセット７０８から記録紙７０５を給紙する円柱型の給紙ローラ、７１０は給紙ローラ７０９から１枚ずつ給紙された記録紙７０５を搬送する用紙搬送部である。そして、７１１は転写ローラ７０６でトナー像を転写された記録紙７０５を加圧ローラ７１２と加熱ローラ７１３でそのトナー像を記録紙７０５上に定着させる定着器、７１４は加熱ローラ７１３から放出される熱を機外に放出するファンである。ファン７１４は、更にコロナ放電によって発生したオゾンをオゾンフィルタに向けて送風する。なお、加熱ローラ７１３からの放熱を排気するファンとオゾンをオゾンフィルタへ送風するファンは別々であっても良い。７１５はトナー像が転写された記録紙７０５をフェースダウン状態でフェースダウン排紙トレイ７１６へ排出させるためのフェースダウン搬送部である。
【００１９】
図４のように、画像形成装置内の帯電器７０２のコロナ放電により発生したオゾンは、排気ファン７１４により図の（ａ）方向へと排気される。排気ファン７１４の排気側にはオゾン除去部材としてのオゾンフィルタ７２１が取り付けられており、更にその上にダクト７２２が被せられている。
【００２０】
オゾンフィルタ７２１は活性炭を含有するペーパー素材で、ハニカム状にされてフィルタ部材７２３を形成し、そのフィルタ部材７２３で排気ファン７１４から排出される空気中のオゾンが除去される。
【００２１】
オゾンフィルタ７２１を出た空気は、排気ファン７１４により画像形成装置本体の空気を図中の（ｂ）方向即ち、装置本体の外に排出される。
【００２２】
フェースダウン排紙トレイ７１６は記録紙のジャムが生じた場合にジャム処理を行うために開閉する開閉部材としても機能する。７１７はトナー像が転写された記録紙７０５をフェースアップ状態でフェースアップ排紙トレイ７１８へ排出させるためのフェースアップ搬送部である。なお、記録紙をフェースダウン排紙トレイ７１６とフェースアップ排紙トレイ７１８のどちらに排紙するかは、画像形成モードやユーザーの設定により決められる。
【００２３】
以上のような構成からなる画像形成装置の動作を説明する。
【００２４】
まず、高圧電源に接続された帯電器７０２内の帯電線に高圧電圧を供給して、コロナ放電を行わせ、感光体７０１の表面を一様に帯電させる。コロナ放電が発生すると、その帯電器７０２から電荷、静電エネルギーが放射されると共に、放電時にはオゾンが発生する。そして、感光体７０１に露光光学系７０３からレーザビームの露光光線７１９を照射する。露光光線７１９が照射された感光体７０１上の部分は電荷が消え、感光体７０１の表面に静電潜像が形成される。
【００２５】
次に、感光体７０１上の静電潜像が現像器７０４に到達すると、予め負に帯電したトナーが露光光線７１９の照射により電荷がなくなった感光体７０１上の部分に付着し、現像が行われる。そして、カセット７０８から給紙ローラ７０９によって記録紙７０５が給紙され、用紙搬送部７１０によって搬送された記録紙７０５は、高電圧を加えられた転写ローラ７０６によって転写される。
【００２６】
その後、感光体７０１の表面に残ったトナーは除電器７０７によって除去され、記録紙７０５には、定着器７１１でトナー像が定着される。
【００２７】
フェースダウン排紙が選択された場合は、記録紙７０５はフェースダウン搬送部７１５を通りフェースダウン排紙トレイ７１６に排出される。また、フェースアップ排紙が選択された場合は、記録紙７０５はフェースアップ搬送部７１７を通りフェースアップ排紙トレイ７１８に排出される。以上のような動作によって記録紙１枚の印字動作を完了する。
【００２８】
画像形成装置における動作状態の異常、即ちエラー現象として、記録紙７０５を給紙してから機外へ排出するまでの途中経路で記録紙７０５が停滞してしまうジャムエラーがある。
【００２９】
次に、本実施形態の画像形成装置の制御について図面を参照して説明する。図１は本実施形態における画像形成装置の制御ブロック図であり、図２は制御フローである。
【００３０】
図１において、１０１は画像形成装置で発生したジャムを検知するジャム検知部（ジャム検知手段）、１０２は画像形成装置内の環境条件を検知する環境検知部（環境検知手段）で、本実施形態においては、画像形成装置内の温度及び湿度を検知する。１０３は、画像形成装置全体を制御する制御部（制御手段）である。制御部１０３は、記録紙のジャム発生時に、画像形成装置内のオゾンを除去するために必要な排気ファンの回転時間を決定したり、表示部７２１（表示手段）への表示内容の制御を行う。１０４は、高圧出力値を一定に制御するための高圧出力制御データを制御部１０３へ伝送するための高圧出力制御データ伝送部、１０５は、排気ファン７１４（図３を参照）を駆動するファン駆動回路である。ファン駆動回路１０５はＣＰＵ１０３からの指示に基づいてファン７１４のオン／オフを制御する。
【００３１】
次に、図２を用いて、ジャム発生時における画像形成装置の動作を説明する。ジャム検知部１０１により画像形成装置において記録紙のジャムが発生したことが検知された場合、ジャム検知部１０１は、制御部１０３にジャム検知信号を伝送する（４０１）。
【００３２】
そして、ジャム検知信号を受け取った制御部１０３は、環境検知部１０２から受け取った温度、湿度の検知結果及び高圧出力制御データ伝送部から受け取った高圧出力制御データに基づいて画像形成装置内のオゾンの濃度検知を行い、その濃度を決定する。オゾン濃度の決定は制御部１０３内のメモリテーブルに格納されたデータに基づいてなされるが、演算により決定しても良い。決定したオゾン濃度に基づいて、画像形成装置内のオゾン濃度をユーザーが不快を感じない所定値以下にまで減らすのに必要な排気ファンの回転時間を決定し、決定した回転時間に従ってファン駆動回路１０５を制御する（４０２）。回転時間の決定は、制御部１０３内のメモリテーブルに格納されたデータに従って、或いは演算により決定される。また、オゾン濃度を決定することなく、温度、湿度の情報及び高圧出力制御データとファン回転時間データの関係を示すメモリテーブルを使用しても良い。このファン回転時間は、画像形成装置内部のオゾンがオゾンフィルタ７２１へ送風され、除去されるのに要する時間に相当する。なお、制御を簡略化するために、高圧出力制御データとファン回転時間データの関係を示すメモリテーブルを使用しても良い。これらの制御により、ファン駆動回路１０５は決定された回転時間だけファン７１４を駆動する。
【００３３】
また、制御部１０３は装置内のオゾン濃度がオゾンの匂いによる不快を感じない所定値以下に減るまでは（決定した回転時間が経過するまで）、ユーザーがジャム処理作業を行うことを禁止することを促す警告表示（図１０）を表示部７２１に行う（４０３）。
【００３４】
次に、制御部１０３は、決定したファン回転時間が経過した否かの確認を行い（４０４）、決定したファン回転時間が経過した場合には、図１１に示すように、表示部７２１にジャム処理作業が可能となったことを表示させる。制御部１０３は更に、ジャム処理の作業手順を表示部７２１に表示させ（４０５）、排気ファンの回転を停止させて、ユーザーがジャム処理を行える状態へ移行する（４０６）。
【００３５】
本実施形態の画像形成装置によれば、ユーザーがジャム処理をするために装置の前扉を開けたときに、画像形成装置内に蓄積されたオゾンの匂いにより不快になることを防ぐことができる。
【００３６】
［実施形態２］
次に、本発明の実施形態２について図面を参照して説明する。
【００３７】
図５は本実施形態における画像形成装置の制御ブロック図であり、図６は制御フローである。尚、画像形成装置の構成は本発明の実施形態１と同様、図３に示す構成なのでその説明は省略する。
【００３８】
本実施形態において実施形態１と異なるのは、実施形態１ではジャムが検知された後も排気ファンの回転速度はジャムが検知される前と同じであるのに対し、本実施形態ではジャム検知後に排気ファンの回転速度を増大させている点である。本実施形態のようにジャム検知後、排気ファンの回転速度を増大させることで、オゾンをオゾンフィルタ７２１へ送風し除去する時間を短縮することが可能となる。
【００３９】
図５において、２０１は画像形成装置で発生したジャムを検知するジャム検知部（ジャム検知手段）、２０２は画像形成装置内の環境条件を検知する環境検知部（環境検知手段）で、本実施形態においては、画像形成装置内の温度及び湿度を検知する。
【００４０】
２０３は、画像形成装置全体を制御する制御部（制御手段）である。制御部２０３は、記録紙のジャム発生時に、画像形成装置内のオゾンを除去するために必要な排気ファンの回転時間を決定したり、表示部７２１への表示内容の制御を行う。２０４は、高圧出力値を一定に制御するための高圧出力制御データを制御部２０３へ伝送するための高圧出力制御データ伝送部、２０５は、排気ファン７１４（図３を参照）を駆動するファン駆動回路である。ファン駆動回路２０５はＣＰＵ２０３からの指示に基づいてファン７１４のオン／オフを制御する。
【００４１】
次に、図６を用いて、ジャム発生時における画像形成装置の動作を説明する。ジャム検知部２０１により画像形成装置において記録紙のジャムが発生したことが検知された場合、ジャム検知部２０１は、制御部２０３にジャム検知信号を伝送する（５０１）。
【００４２】
そして、ジャム検知信号を受け取った制御部２０３は、環境検知部２０２から受け取った温度、湿度の検知結果及び高圧出力制御データ伝送部から受け取った高圧出力制御データに基づいて画像形成装置内のオゾンの濃度検知を行い、その濃度を決定する。同時に、該オゾン濃度より、ユーザーが不快を感じないレベルまで減らすのに必要な排気ファンの回転時間を算出する（５０２）。
【００４３】
次に、画像形成装置は排気ファンの回転数を変更する（回転速度を増大させる、５０３）。また、制御部２０３は装置内のオゾン濃度がオゾンの匂いによる不快を感じない所定値以下に減るまでは（決定した回転時間が経過するまで）、ユーザーがジャム処理作業を行うことを禁止することを促す警告表示（図１０）を表示部７２１に行う（５０４）。
【００４４】
次に、制御部２０３は、決定したファン回転時間が経過した否かの確認を行い（５０５）、決定したファン回転時間が経過した場合には、図１１に示すように、表示部７２１にジャム処理作業が可能となったことを表示させる。制御部２０３は更に、ジャム処理の作業手順を表示部７２１に表示させ（５０６）、排気ファンの回転を停止させて、ユーザーがジャム処理を行える状態へ移行する（５０７）。
【００４５】
本実施形態では、画像形成装置はジャム発生後にオゾンを迅速に装置外へ排出する為に、排気ファンの速度を増大させている。しかし、オゾン排気用ファンを複数個備え、オゾンを装置外へ迅速に排出させることが必要な場合にそれら全ての排気用ファンを回転させ、或いは１つの排気用ファンだけ回転させるように画像形成装置を制御することも可能である。
【００４６】
本実施形態の画像形成装置によれば、ユーザーがジャム処理をするために装置の前扉を開けたときに、画像形成装置内に蓄積されたオゾンの匂いにより不快になることを防ぐことができ、またオゾンをより迅速に除去することができる。
【００４７】
［実施形態３］
次に、本発明の実施形態３について図面を参照して説明する。
【００４８】
図７は本実施形態における画像形成装置の制御ブロック図であり、図８は制御フローであって、図９は本実施形態における画像形成装置の構成図を示す。
【００４９】
本実施形態において、実施形態１及び実施形態２との相違点は以下の通りである。実施形態１及び実施形態２では、ユーザーがジャム処理作業を行っても問題のない所定値以下に画像形成装置内部のオゾンが減るまで、ユーザーがジャム処理作業を行うことを禁止するよう、表示部に画像形成装置は表示している。これに対し、本実施形態ではこれに加え、画像形成装置の扉をユーザーが開けることが出来ないように、扉をロックする扉ロック部８２２（図９を参照）を設けていることが、実施形態１及び実施形態２との相違点である。本実施形態では、ジャム処理を行うためにユーザーが開ける扉として画像形成装置の前扉とするが、上述したフェースダウン排紙トレイ７１６や他の扉であっても良い。
【００５０】
前扉は、サービスマンが感光体及びその周辺部のマテリアルについての交換やメンテナンスを行った場合や、ジャム発生時に、ユーザーがジャム処理をするために開閉できるようになっている扉である。本実施形態のように該扉にロック機構を設けることで、画像形成装置内にオゾンが存在する状態でユーザーが誤って前扉を開けてオゾンを吸収してしまうことを防止することが可能となる。尚、図９は画像形成装置が上述の前扉ロック部８２２を備えていること以外は、図３と同じ構成なのでその説明を省略する。
【００５１】
図７において、３０１は画像形成装置で発生したジャムを検知するジャム検知部（ジャム検知手段）、３０２は画像形成装置内の環境条件を検知する環境検知部（環境検知手段）で、本実施形態においては、画像形成装置内の温度及び湿度を検知する。３０３は、画像形成装置全体を制御する制御部（制御手段）である。制御部３０３は、記録紙のジャム発生時に、画像形成装置内のオゾンを除去するために必要な排気ファンの回転時間を決定したり、表示部８２１への表示内容の制御を行う。３０４は、高圧出力値を一定に制御するための高圧出力制御データを制御部３０３へ伝送するための高圧出力制御データ伝送部、３０５は、排気ファン８１４（図９を参照）を駆動するファン駆動回路である。ファン駆動回路３０５はＣＰＵ３０３からの指示に基づいてファン８１４のオン／オフを制御する。
【００５２】
そして、３０７は、画像形成装置内にオゾンが存在する状態で、ユーザーが誤って前扉を開けてしまうことを防止するために前扉８２２をロックする前扉ロック制御部である。
【００５３】
次に、図８を用いて、ジャム発生時における画像形成装置の動作を説明する。
【００５４】
ジャム検知部３０１により画像形成装置においてジャムが発生したことが検知された場合、ジャム検知部３０１は、制御部３０３にジャム検知信号を伝送する（６０１）。
【００５５】
そして、ジャム検知信号を受け取った制御部３０３は、環境検知部３０２から受け取った温度、湿度の検知結果及び高圧出力制御データ伝送部から受け取った高圧出力制御データに基づいて画像形成装置内のオゾンの濃度検知を行い、その濃度を決定する。オゾン濃度の決定は制御部３０３内のメモリテーブルに格納されたデータに基づいてなされるが、演算により決定しても良い。決定したオゾン濃度に基づいて、画像形成装置内のオゾン濃度をユーザーが不快を感じないレベルまで減らすのに必要な排気ファンの回転時間を決定し、決定した回転時間に従ってファン駆動回路３０５を制御する（６０２）。回転時間の決定は、制御部３０３内のメモリテーブルに格納されたデータに従ってなされるが、演算により決定してもよい。また、オゾン濃度を決定することなく、温度、湿度の情報及び高圧出力制御データとファン回転時間データの関係を示すメモリテーブルを使用しても良い。この制御により、ファン駆動回路３０５は決定された回転時間だけファン８１４を駆動する。
【００５６】
また、制御部３０３は装置内のオゾン濃度がオゾンの匂いによる不快を感じない所定値以下に減るまでは（決定した回転時間が経過するまで）、ユーザーがジャム処理作業を行うことを禁止することを促す警告表示（図１０）を表示部８２１（表示手段）に行う。それと共に、前扉ロック制御部により前扉をロック状態にする（６０３）。
【００５７】
次に、制御部３０３は、決定したファン回転時間が経過した否かの確認を行い（６０４）、決定したファン回転時間が経過した場合には、図１１に示すように、表示部８２１にジャム処理作業が可能となったことを表示させる。制御部３０３は、それと共に前扉のロックを解除した後、ジャム処理の作業手順を表示部８２１に表示させ（６０５）、排気ファンの回転を停止させて、ユーザーがジャム処理を行える状態へ移行する（６０６）。
【００５８】
本実施形態の画像形成装置によれば、画像形成装置内にオゾンが存在する状態でユーザーが誤って前扉を開けてオゾンを吸引してしまうことを防止することができる。
【図面の簡単な説明】
【００５９】
【図１】本発明の実施形態１における画像形成装置の制御ブロック図である。
【図２】本発明の実施形態１における画像形成装置の制御フローである。
【図３】本発明の実施形態１及び実施形態２における画像形成装置の構成図である。
【図４】排気ファン及びオゾンフィルタの構成図である。
【図５】本発明の実施形態２における画像形成装置の制御ブロック図である。
【図６】本発明の実施形態２における画像形成装置の制御フローである。
【図７】本発明の実施形態３における画像形成装置の制御ブロック図である。
【図８】本発明の実施形態３における画像形成装置の制御フローである。
【図９】本発明の実施形態３における画像形成装置の構成図である。
【図１０】ユーザーにジャム処理を行わないように示す表示である。
【図１１】ユーザーにジャム処理を行うように示す表示である。
【符号の説明】
【００６０】
７０１、８０１  感光体
７０２、８０２  帯電器
７０３、８０３  露光光学系
７０４、８０４  現像器
７０５、８０５  記録紙
７０７、８０７  除電器
７１１、８１１  定着器
７１４、８１４  排気ファン
７２０、８２０  前扉
７２１、８２１  表示手段
８２２  前扉ロック手段
【図１】
2008185920.tif 000003
【図２】
2008185920.tif 000004
【図３】
2008185920.tif 000005
【図４】
2008185920.tif 000006
【図５】
2008185920.tif 000007
【図６】
2008185920.tif 000008
【図７】
2008185920.tif 000009
【図８】
2008185920.tif 000010
【図９】
2008185920.tif 000011
【図１０】
2008185920.tif 000012
【図１１】
2008185920.tif 000013